(57)【特許請求の範囲】
【請求項１】
第１通信網を介したコミュニケーション通信を行う第１ネットワーク機器と、第２通信網を介したコミュニケーション通信を行う第２ネットワーク機器とを相互に接続して、該第１通信網に接続された相手と第２通信網に接続された相手とのコミュニケーション通信を成立させるネットワーク統合システムであって、
前記第１ネットワーク機器のコミュニケーションインタフェースである第１コミュニケーションインタフェースに接続され、該第１ネットワーク機器のコミュニケーションモジュールである第１コミュニケーションモジュールと、該第１コミュニケーションモジュール以外のモジュールとに切り替え可能に構成された第１切替部と、
前記第１切替部の前記第１コミュニケーションモジュール以外のモジュールに接続され、前記第１コミュニケーションインタフェースの音声出力および音声入力を分岐する第１分岐モジュールと、
前記第１分岐モジュールの音声出力に接続され、該音声出力が入力される第１音声入力部と、
前記第１分岐モジュールの音声入力に接続され、該音声入力に音声を出力する第１音声出力部と、
前記第２ネットワーク機器のコミュニケーションインタフェースである第２コミュニケーションインタフェースに接続され、該第２ネットワーク機器のコミュニケーションモジュールである第２コミュニケーションモジュールと、該第２コミュニケーションモジュール以外のモジュールとに切り替え可能に構成された第２切替部と、
前記第２切替部の前記第２コミュニケーションモジュール以外のモジュールに接続され、前記第２コミュニケーションインタフェースの音声出力および音声入力を分岐する第２分岐モジュールと、
前記第２分岐モジュールの音声出力に接続され、該音声出力が入力される第２音声入力部と、
前記第２分岐モジュールの音声入力に接続され、該音声入力に音声を出力する第２音声出力部と
を備え、
前記第１切替部により前記第１分岐モジュールが選択されると共に、第２切替部により前記第２分岐モジュールが選択された状態で、前記第１音声入力部に入力された音声出力が前記第２音声出力部の音声出力として出力されると共に、前記第２音声入力部に入力された音声出力が前記第１音声出力部の音声出力として出力されることを特徴とするネットワーク統合システム。
【請求項２】
請求項１記載のネットワーク統合システムにおいて、
前記第１コミュニケーションインタフェースの映像入力に接続され、該第１ネットワーク機器の映像コミュニケーションモジュールである第１映像コミュニケーションモジュールと、該第１コミュニケーションモジュール以外の映像モジュールとに切り替え可能に構成された第１映像切替部と、
前記第１コミュニケーションインタフェースの映像出力に接続され、前記第１ネットワーク機器のモニタ画像の映像出力が入力される第１映像入力部と、
前記第１映像切替部の前記第１映像コミュニケーションモジュール以外の映像モジュールに接続され、前記第１コミュニケーションインタフェースに映像を出力する第１映像出力部と、
前記第２コミュニケーションインタフェースの映像入力に接続され、該第２ネットワーク機器の映像コミュニケーションモジュールである第２映像コミュニケーションモジュールと、該第２コミュニケーションモジュール以外の映像モジュールとに切り替え可能に構成された第２映像切替部と、
前記第２コミュニケーションインタフェースの映像出力に接続され、前記第２ネットワーク機器のモニタ画像の映像出力が入力される第２映像入力部と、
前記第２映像切替部の前記第２映像コミュニケーションモジュール以外の映像モジュールに接続され、前記第２コミュニケーションインタフェースに映像を出力する第２映像出力部と
を備え、
前記第１映像切替部により前記第１映像コミュニケーションモジュール以外のモジュールが選択されると共に、第２映像切替部により前記第２映像コミュニケーションモジュール以外のモジュールが選択された状態で、前記第１映像入力部に入力された映像出力が前記第２映像出力部の映像出力として出力されると共に、前記第２映像入力部に入力された映像出力が前記第１映像出力部の映像出力として出力されることを特徴とするネットワーク統合システム。
【発明の詳細な説明】
【技術分野】
【０００１】
本発明は、第１通信網を介したコミュニケーション通信を行う第１ネットワーク機器と、第２通信網を介したコミュニケーション通信を行う第２ネットワーク機器とを相互に接続して、該第１通信網に接続された相手と第２通信網に接続された相手とのコミュニケーション通信を成立させるネットワーク統合システムに関するものである。
【背景技術】
【０００２】
従来、ネットワーク統合システムとしては、下記特許文献１に示すように、第１通信網である電話網と、第２通信網であるインターネットとの間に、構内交換機であるＰＢＸを設けることにより実現しているものが知られている。
【先行技術文献】
【特許文献】
【０００３】
【特許文献１】特開２０２１−０４８４７８号公報
【発明の概要】
【発明が解決しようとする課題】
【０００４】
しかしながら、かかる従来のシステムでは、ＰＢＸをＩＰ（Internet Protocol ）ネットワーク上で提供するいわゆるＩＰ−ＰＢＸや、インターネット上でＰＢＸの機能を提供するクラウドＰＢＸとして、新たに構築する必要がある。
【０００５】
そのため、第１通信網である電話網のデータ（場合によっては、第２通信網であるインターネット上に構築されたデータ）を、改めて、ＰＢＸのメモリに、ＰＢＸ接続される複数の内線端末のそれぞれについて、内線番号およびダイヤルイン番号、ならびに転送先番号を記憶させる必要が生じる。
【０００６】
以上の事情に鑑みて、本発明は、新たな構内交換機の構築を不要としつつ、簡易かつ確実に、第１通信網に接続された相手と第２通信網に接続された相手とのコミュニケーション通信を成立させることができるネットワーク統合システムを提供することを目的とする。
【課題を解決するための手段】
【０００７】
第１発明のネットワーク統合システムは、第１通信網を介したコミュニケーション通信を行う第１ネットワーク機器と、第２通信網を介したコミュニケーション通信を行う第２ネットワーク機器とを相互に接続して、該第１通信網に接続された相手と第２通信網に接続された相手とのコミュニケーション通信を成立させるネットワーク統合システムであって、
前記第１ネットワーク機器のコミュニケーションインタフェースである第１コミュニケーションインタフェースに接続され、該第１ネットワーク機器のコミュニケーションモジュールである第１コミュニケーションモジュールと、該第１コミュニケーションモジュール以外のモジュールとに切り替え可能に構成された第１切替部と、
前記第１切替部の前記第１コミュニケーションモジュール以外のモジュールに接続され、前記第１コミュニケーションインタフェースの音声出力および音声入力を分岐する第１分岐モジュールと、
前記第１分岐モジュールの音声出力に接続され、該音声出力が入力される第１音声入力部と、
前記第１分岐モジュールの音声入力に接続され、該音声入力に音声を出力する第１音声出力部と、
前記第２ネットワーク機器のコミュニケーションインタフェースである第２コミュニケーションインタフェースに接続され、該第２ネットワーク機器のコミュニケーションモジュールである第２コミュニケーションモジュールと、該第２コミュニケーションモジュール以外のモジュールとに切り替え可能に構成された第２切替部と、
前記第２切替部の前記第２コミュニケーションモジュール以外のモジュールに接続され、前記第２コミュニケーションインタフェースの音声出力および音声入力を分岐する第２分岐モジュールと、
前記第２分岐モジュールの音声出力に接続され、該音声出力が入力される第２音声入力部と、
前記第２分岐モジュールの音声入力に接続され、該音声入力に音声を出力する第２音声出力部と
を備え、
前記第１切替部により前記第１分岐モジュールが選択されると共に、第２切替部により前記第２分岐モジュールが選択された状態で、前記第１音声入力部に入力された音声出力が前記第２音声出力部の音声出力として出力されると共に、前記第２音声入力部に入力された音声出力が前記第１音声出力部の音声出力として出力されることを特徴とする。
【０００８】
第１発明のネットワーク統合システムによれば、第１切替部により、第１コミュニケーションモジュールが選択された状態では、第１ネットワーク機器の本来のコミュニケーションが実現される一方、第１切替部により、第１分岐モジュールが選択されると、第１コミュニケーションインタフェースの音声出力および音声入力が分岐モジュールにより分岐して取り出せる状態となる。
【０００９】
同様に、第２切替部により、第２コミュニケーションモジュールが選択された状態では、第２ネットワーク機器の本来のコミュニケーションが実現される一方、第２切替部により、第２分岐モジュールが選択されると、第２コミュニケーションインタフェースの音声出力および音声入力が分岐モジュールにより分岐して取り出せる状態となる。
【００１０】
そして、第１分岐モジュールおよび第２分岐モジュールが選択された状態では、第１音声入力部に入力された第１コミュニケーションインタフェースの音声出力が第２音声出力部の音声出力として出力されて第２コミュニケーションインタフェースの音声入力に入力されると共に、第２音声入力部に入力された第２コミュニケーションインタフェースの音声出力が第１音声出力部の音声出力として出力されて第１コミュニケーションインタフェースの音声入力に入力される。
【００１１】
これにより、第１通信網に接続された相手の音声が、第１音声入力部から第２音声出力部を介して、第２通信網に接続された相手のスピーカ等から出力されると共に、第２通信網に接続された相手の音声が第２音声入力部から第１音声出力部を介して、第１通信網に接続された相手のスピーカ等から出力されることから、第１通信網に接続された相手と第２通信網に接続された相手との音声コミュニケーション通信を成立させることができる。
【００１２】
このように、第１発明のネットワーク統合システムによれば、新たな構内交換機の構築を不要としつつ、簡易かつ確実に、第１通信網に接続された相手と第２通信網に接続された相手とのコミュニケーション通信を成立させることができるネットワーク統合システムを提供することができる。
【００１３】
第２発明のネットワーク統合システムは、第１発明において、
前記第１コミュニケーションインタフェースの映像入力に接続され、該第１ネットワーク機器の映像コミュニケーションモジュールである第１映像コミュニケーションモジュールと、該第１コミュニケーションモジュール以外の映像モジュールとに切り替え可能に構成された第１映像切替部と、
前記第１コミュニケーションインタフェースの映像出力に接続され、前記第１ネットワーク機器のモニタ画像の映像出力が入力される第１映像入力部と、
前記第１映像切替部の前記第１映像コミュニケーションモジュール以外の映像モジュールに接続され、前記第１コミュニケーションインタフェースに映像を出力する第１映像出力部と、
前記第２コミュニケーションインタフェースの映像入力に接続され、該第２ネットワーク機器の映像コミュニケーションモジュールである第２映像コミュニケーションモジュールと、該第２コミュニケーションモジュール以外の映像モジュールとに切り替え可能に構成された第２映像切替部と、
前記第２コミュニケーションインタフェースの映像出力に接続され、前記第２ネットワーク機器のモニタ画像の映像出力が入力される第２映像入力部と、
前記第２映像切替部の前記第２映像コミュニケーションモジュール以外の映像モジュールに接続され、前記第２コミュニケーションインタフェースに映像を出力する第２映像出力部と
を備え、
前記第１映像切替部により前記第１映像コミュニケーションモジュール以外のモジュールが選択されると共に、第２映像切替部により前記第２映像コミュニケーションモジュール以外のモジュールが選択された状態で、前記第１映像入力部に入力された映像出力が前記第２映像出力部の映像出力として出力されると共に、前記第２映像入力部に入力された映像出力が前記第１映像出力部の映像出力として出力されることを特徴とする。
【００１４】
第２発明のネットワーク統合システムは、第１ネットワーク機器および第２ネットワーク機器を介したコミュニケーションが映像コミュニケーションを含む場合である。
【００１５】
この場合、第１映像切替部により、第１映像コミュニケーションモジュールが選択された状態では、第１ネットワーク機器の本来の映像コミュニケーションが実現される一方、第１映像切替部により、第１映像コミュニケーションモジュール以外のモジュールが選択されると、第１コミュニケーションインタフェースの映像入力として、第１映像コミュニケーションモジュール以外からの出力映像を入力することができる。
【００１６】
同様に、第２映像切替部により、第２映像コミュニケーションモジュールが選択された状態では、第２ネットワーク機器の本来の映像コミュニケーションが実現される一方、第２映像切替部により、第２映像コミュニケーションモジュール以外のモジュールが選択されると、第２コミュニケーションインタフェースの映像入力として、第２映像コミュニケーションモジュール以外からの出力映像を入力することができる。
【００１７】
そして、この状態では、第１映像入力部に入力された第１コミュニケーションインタフェースの映像出力（モニタ画像）が第２映像出力部の映像出力として出力されて第２コミュニケーションインタフェースの映像入力に入力されると共に、第２映像入力部に入力された第２コミュニケーションインタフェースの映像出力（モニタ画像）が第１映像出力部の映像出力として出力されて第１コミュニケーションインタフェースの映像入力に入力される。
【００１８】
これにより、第１通信網に接続された相手の映像（第１ネットワーク機器のモニタ画像）が、第１映像入力部から第２映像出力部を介して、第２通信網に接続された相手のモニタ等に出力して表示されると共に、第２通信網に接続された相手の映像（第２ネットワーク機器のモニタ画像）が第２映像入力部から第１映像出力部を介して、第１通信網に接続された相手のモニタ等に出力して表示からされることから、第１通信網に接続された相手と第２通信網に接続された相手との映像コミュニケーション通信を成立させることができる。
【００１９】
このように、第２発明のネットワーク統合システムによれば、新たな構内交換機の構築を不要としつつ、簡易かつ確実に、第１通信網に接続された相手と第２通信網に接続された相手との映像を含めたコミュニケーション通信を成立させることができるネットワーク統合システムを提供することができる。
【図面の簡単な説明】
【００２０】
【図１】本実施形態のネットワーク統合システムの構成を示すシステム構成図。
【図２】本実施形態のネットワーク統合システムの変更例を示すシステム構成図。
【発明を実施するための形態】
【００２１】
図１に示すように、本実施形態のネットワーク統合システムは、第１通信網を介したコミュニケーション通信を行う第１ネットワーク機器Ｘ１と、第２通信網を介したコミュニケーション通信を行う第２ネットワーク機器Ｘ２とを相互に接続して、該第１通信網に接続された相手と第２通信網に接続された相手とのコミュニケーション通信を成立させるシステムであって、第１切替部１００と、第１コミュニケーションモジュール１１０と、第１分岐モジュール１２０と、第１音声入力部１３０と、第１音声出力部１４０と、第２切替部２００と、第２コミュニケーションモジュール２１０と、第２分岐モジュール２２０と、第２音声入力部２３０と、第２音声出力部２４０とを備える。
【００２２】
第１ネットワーク機器は、例えば、電話網に接続された電話機や、インターネットに接続されたＰＣやスマートフォン、タブレットである。
【００２３】
第１切替部１００は、第１ネットワーク機器Ｘ１のコミュニケーションインタフェースである第１コミュニケーションインタフェースＸ１０に接続され、第１コミュニケーションモジュール１１０と、該第１コミュニケーションモジュール以外の他のモジュールとに切り替え可能に構成される。
【００２４】
なお、第１コミュニケーションインタフェースＸ１０は、第１ネットワーク機器Ｘ１の音声入出力を行う端子であって、第１ネットワーク機器Ｘ１が電話機の場合には、受話器が接続される電話プラグ（４極４芯）、第１ネットワーク機器Ｘ１がＰＣやスマートフォン、タブレットの場合には、ＵＳＢ（スピーカフォンＵＳＢ）やヘッドセット端子（４極３．５ｍｍステレオミニジャック）が該当する。
【００２５】
具体的に、第１切替部１００は、第１ネットワーク機器Ｘ１が電話機の場合には、電話プラグ４極４芯を、第１コミュニケーションモジュール１１０と他のモジュールに変更可能にする切替器（ハンドセットである受話器とヘッドセットの切替器）が該当し、第１ネットワーク機器Ｘ１がＰＣの場合には、ＵＳＢ（スピーカフォンＵＳＢ）切替器やヘッドセット端子（４極３．５ｍｍステレオミニジャック）切替器が該当する。
【００２６】
第１コミュニケーションモジュール１１０は、第１ネットワーク機器Ｘ１の本来のコミュニケーションモジュールであって、第１ネットワーク機器Ｘ１が電話機の場合には、電話プラグ（４極４芯）を介して接続される受話器、第１ネットワーク機器Ｘ１がＰＣやスマートフォン、タブレットの場合には、ＵＳＢ（スピーカフォンＵＳＢ）やヘッドセット端子（４極３．５ｍｍステレオミニジャック）を介して接続されるスピーカフォンやヘッドセットが該当する。
【００２７】
第１分岐モジュール１２０は、第１切替部１００の他のモジュールに接続されて、他のモジュールである電話線プラグ（４極４芯）を音声出力（ヘッドホン）と音声入力（マイク）分配にする。
【００２８】
第１音声入力部１３０は、第１分岐モジュール１２０の音声出力に接続され、該音声出力が入力される。
【００２９】
第１音声出力部１４０は、第１分岐モジュール１２０の音声入力に接続され、該音声入力に音声を出力する。
【００３０】
同様に、第２ネットワーク機器は、例えば、電話網に接続された電話機や、インターネットに接続されたＰＣやスマートフォン、タブレットである。
【００３１】
第２切替部２００は、第２ネットワーク機器Ｘ２のコミュニケーションインタフェースである第２コミュニケーションインタフェースＸ２０に接続され、第２コミュニケーションモジュール２１０と、該第２コミュニケーションモジュール以外の他のモジュールとに切り替え可能に構成される。
【００３２】
なお、第２コミュニケーションインタフェースＸ２０は、第２ネットワーク機器Ｘ２の音声入出力を行う端子であって、第２ネットワーク機器Ｘ２が電話機の場合には、受話器が接続される電話プラグ（４極４芯）、第２ネットワーク機器Ｘ２がＰＣやスマートフォン、タブレットの場合には、ＵＳＢ（スピーカフォンＵＳＢ）やヘッドセット端子（４極３．５ｍｍステレオミニジャック）が該当する。
【００３３】
具体的に、第２切替部２００は、第２ネットワーク機器Ｘ２が電話機の場合には、電話プラグ４極４芯を、第２コミュニケーションモジュール２１０と他のモジュールに変更可能にする切替器（ハンドセットである受話器とヘッドセットの切替器）が該当し、第２ネットワーク機器Ｘ２がＰＣの場合には、ＵＳＢ（スピーカフォンＵＳＢ）切替器やヘッドセット端子（４極３．５ｍｍステレオミニジャック）切替器が該当する。
【００３４】
第２コミュニケーションモジュール２１０は、第２ネットワーク機器Ｘ２の本来のコミュニケーションモジュールであって、第２ネットワーク機器Ｘ２が電話機の場合には、電話プラグ（４極４芯）を介して接続される受話器、第２ネットワーク機器Ｘ２がＰＣやスマートフォン、タブレットの場合には、ＵＳＢ（スピーカフォンＵＳＢ）やヘッドセット端子（４極３．５ｍｍステレオミニジャック）を介して接続されるスピーカフォンやヘッドセットが該当する。
【００３５】
第２分岐モジュール２２０は、第２切替部２００の他のモジュールに接続されて、他のモジュールである電話線プラグ（４極４芯）を音声出力（ヘッドホン）と音声入力（マイク）分配にする。  
【００３６】
第２音声入力部２３０は、第２分岐モジュール２２０の音声出力に接続され、該音声出力が入力される。
【００３７】
第２音声出力部２４０は、第２分岐モジュール２２０の音声入力に接続され、該音声入力に音声を出力する。
【００３８】
なお、通話音質を改善させると共にノイズを除去するために、第１分岐モジュール１２０と第１音声入力部１３０との間および第２分岐モジュール２２０と第２音声入力部２３０との間にノイズ除去フィルタ等を搭載した音質改善プラグを介在させてもよい。同様に、音質改善を目的として、第１切替器１００（第２切替器２００）がＵＳＢ切替器の場合には、第１切替器１００と第１分岐モジュール１２０との間（第２切替器２００と第２分岐モジュール２２０との間）にＵＳＢアイソレータを介在させてもよい。
【００３９】
以上のように構成されたネットワーク統合システムの作動について説明する。
［第１実施形態］
第１実施形態として、第１ネットワーク機器Ｘ１が電話機であり、第２ネットワーク機器Ｘ２がＰＣである場合について説明する。
【００４０】
まず、ネットワーク統合前の通常の状態では、第１切替部１００では、第１コミュニケーションモジュール１１０が選択され、第２切替部２００では、第２コミュニケーションモジュール２１０が選択されている。
【００４１】
この状態で、第１ネットワーク機器Ｘ１に、電話網を介して外線が着信すると、ユーザは、通中の電話と同様に、第１コミュニケーションモジュールである受話器により、電話網の相手である外線発信者との音声コミュニケーションが可能である。
【００４２】
ここで、電話網の相手である外線着信者が、例えば、在宅勤務者のＡさんへの通話を希望した場合には、ユーザは、第１ネットワーク機器である電話を保留状態にした上で、第２ネットワーク機器Ｘ２であるＰＣを操作して、Ａさんへの発信を行う。
【００４３】
例えば、第２ネットワーク機器Ｘ２であるＰＣによるＡさんへの発信は、スカイプ（登録商標、以下省略）電話を介した発信のほか、各種インターネット電話を介した発信が利用できる。具体的に、スカイプ電話の場合には、スマートフォンにアプリケーションがダウンロードされて利用可能な状態では、通常の携帯電話としての着信と同様に、第２ネットワーク機器Ｘ２であるＰＣからの発信より、通話着信がされる。
【００４４】
そして、Ａさんが、第２ネットワーク機器Ｘ２であるＰＣからの発信を着信すると、Ａさんのスマートフォンと第２ネットワーク機器Ｘ２であるＰＣおよびＰＣに接続された第２コミュニケーションモジュールであるスピーカフォンやヘッドセットとを介して、ユーザとＡさんとのコミュニケーションが可能となる。
【００４５】
なお、このとき、ユーザは、スカイプ電話の電話帳から、Ａさんを選択して発信することができると共に、Ａさんは、スカイプ電話の電話帳から、第２ネットワーク機器Ｘ２であるＰＣ、すなわち、ユーザからの発信であることを認識して、着信することができる。
【００４６】
さらに、Ａさんのスマートフォンが第２ネットワーク機器Ｘ２であるＰＣからの発信を着信すると、ユーザは、第１ネットワーク機器Ｘ１である電話機に、電話網の相手である外線発信者からの電話が来ていることを伝えることでき、転送（ネットワーク統合）をしてもよいか確認することができる。
【００４７】
そして、Ａさんが、外線発信者からの電話の取次ぎを承諾した場合には、ユーザは、第１切替部１００を他のモジュールに変更すると共に、第２切替部２００を他のモジュールに変更して、第１ネットワーク機器Ｘ１の保留を解除する。
【００４８】
このように、第１分岐モジュール１２０および第２分岐モジュール２２０が選択された状態では、第１音声入力部１３０に入力された第１コミュニケーションインタフェースＸ１０の音声出力が第２音声出力部２４０の音声出力として出力されて第２コミュニケーションインタフェースＸ２０の音声入力に入力されると共に、第２音声入力部２３０に入力された第２コミュニケーションインタフェースＸ２０の音声出力が第１音声出力部１４０の音声出力として出力されて第１コミュニケーションインタフェースＸ１０の音声入力に入力される。
【００４９】
これにより、第１通信網である電話網の相手である外線発信者の音声が、第１音声入力部１３０から第２音声出力部２４０を介して、第２通信網であるインターネットに接続された相手であるＡさんのスピーカ等から出力されると共に、Ａさんの音声が第２音声入力部２３０から第１音声出力部１４０を介して、外線発信者のスピーカ等から出力されることから、第１通信網である電話網に接続された相手と第２通信網であるインターネットに接続された相手との音声コミュニケーション通信を成立させることができる。
【００５０】
なお、統合（転送）は逆方向からでも可能である。すなわち、Ａさんが先に、第２ネットワーク機器Ｘ２にスカイプ電話により発信し、ユーザが第２ネットワーク機器Ｘ２を介して着信した後、第１ネットワーク機器Ｘ１を操作して社外に外線発信した上で、第１切替部１００および第２切替部２００を第１分岐モジュール１２０および第２分岐モジュール２２０に切り替えることにより、Ａさんと外線発信先との音声コミュニケーション通信を成立させてもよい。この場合には、外線発信先には会社の電話番号のみが表示されるため、Ａさんの所在やネットワークの接続の仕方（スカイプ電話の利用など）を知られることなく、会社の番号で発信して音声コミュニケーション通信を成立させることができる。
【００５１】
また、上記実施形態において、第１ネットワーク機器Ｘ１を介した統合（転送）は、外線通話に限らず、ビジネスフォンなどを介した内線通話であっても可能である。
［第２実施形態］
【００５２】
第２実施形態として、第１ネットワーク機器Ｘ１が電話機であり、第２ネットワーク機器Ｘ２も電話機（第２コミュニケーションモジュールが受話器）である場合について説明する。
【００５３】
まず、ネットワーク統合前の通常の状態では、第１切替部１００では、第１コミュニケーションモジュール１１０が選択され、第２切替部２００では、第２コミュニケーションモジュール２１０が選択されている。
【００５４】
この状態で、第１ネットワーク機器Ｘ１に、電話網を介して外線が着信すると、ユーザは、通中の電話と同様に、第１コミュニケーションモジュールである受話器により、電話網の相手である外線発信者との音声コミュニケーションが可能である。
【００５５】
ここで、電話網の相手である外線着信者が、例えば、在宅勤務者のＡさんへの通話を希望した場合には、ユーザは、第１ネットワーク機器である電話を保留状態にした上で、第２ネットワーク機器Ｘ２である電話機を操作して、Ａさんのスマートフォンへの発信を行う。
【００５６】
ここで、第２ネットワーク機器Ｘ２を電話機で構成する場合には、第１ネットワーク機器である電話機とは異なる回線が必要となるが、例えば、ＦＡＸ専用回線を、電話共用とすることで、ＦＡＸ専用回線を活用した電話伝送が可能となる。
Ａさんは、ナンバーディスプレイなどの電話回線の機能により、例えば、会社のＦＡＸ回線からの発信であることを認識して、着信することができる。
【００５７】
さらに、Ａさんのスマートフォンが第２ネットワーク機器Ｘ２である電話からの発信を着信すると、ユーザは、第１ネットワーク機器Ｘ１である電話機に、電話網の相手である外線発信者からの電話が来ていることを伝えることでき、転送（ネットワーク統合）をしてもよいか確認することができる。
【００５８】
そして、Ａさんが、外線発信者からの電話の取次ぎを承諾した場合には、ユーザは、第１切替部１００を他のモジュールに変更すると共に、第２切替部２００を他のモジュールに変更して、第１ネットワーク機器Ｘ１の保留を解除する。
【００５９】
このように、第１分岐モジュール１２０および第２分岐モジュール２２０が選択された状態では、第１音声入力部１３０に入力された第１コミュニケーションインタフェースＸ１０の音声出力が第２音声出力部２４０の音声出力として出力されて第２コミュニケーションインタフェースＸ２０の音声入力に入力されると共に、第２音声入力部２３０に入力された第２コミュニケーションインタフェースＸ２０の音声出力が第１音声出力部１４０の音声出力として出力されて第１コミュニケーションインタフェースＸ１０の音声入力に入力される。
【００６０】
これにより、第１通信網である電話網の相手である外線発信者の音声が、第１音声入力部１３０から第２音声出力部２４０を介して、第２通信網である電話網に接続された相手であるＡさんのスピーカ等から出力されると共に、Ａさんの音声が第２音声入力部２３０から第１音声出力部１４０を介して、外線発信者のスピーカ等から出力されることから、第１通信網である電話網に接続された相手と第２通信網である電話網に接続された相手との音声コミュニケーション通信を成立させることができる。
【００６１】
なお、統合（転送）は逆方向からでも可能である。すなわち、Ａさんが先に、第２ネットワーク機器Ｘ２に携帯電話や固定電話から発信し、ユーザが第２ネットワーク機器Ｘ２を介して着信した後、第１ネットワーク機器Ｘ１を操作して外線発信した上で、第１切替部１００および第２切替部２００を第１分岐モジュール１２０および第２分岐モジュール２２０に切り替えることにより、Ａさんと外線発信先との音声コミュニケーション通信を成立させてもよい。この場合には、Ａさん自身の携帯電話や固定電話の番号を外線発信先に知られることなく、会社の番号で発信することができる。
【００６２】
このように、本実施形態のネットワーク統合システムによれば、新たな構内交換機の構築を不要としつつ、簡易かつ確実に、第１通信網に接続された相手と第２通信網に接続された相手との音声コミュニケーション通信を成立させることができるネットワーク統合システムを提供することができる。
次に、図２を参照して、本実施形態のネットワーク統合システムの変更例を説明する。
【００６３】
本実施形態のネットワーク統合システムの変更例では、上記実施形態の構成に加えて、さらに、第１映像切替部１５０と、第１映像コミュニケーションモジュール１６０と、第１映像入力部１７０と、第１映像出力部１８０と、第２映像切替部２５０と、第２映像コミュニケーションモジュール２６０と、第２映像入力部２７０と、第２映像出力部２８０とを備える。なお、図１に示した上記実施形態と同一構成構成については、同一符号を付してその説明を省略する。
【００６４】
第１ネットワーク機器Ｘ１は、この場合、例えば、テレビ電話であって、電話網に接続されたテレビ電話機や、インターネットに接続され（ＶＰＮ接続を含む）、各種ＷＥＢ会議やテレビ会議が実行可能なＰＣやスマートフォン、タブレット、専用端末（パナソニック株式会社製のＨＤコム（登録商標、以下省略））である。
【００６５】
第１映像切替部１５０は、第１ネットワーク機器Ｘ１のコミュニケーションインタフェース（映像入力）である第１コミュニケーションインタフェースＸ１０（例えばＵＳＢコネクタ）に接続され、第１映像コミュニケーションモジュール１１０と、該第１コミュニケーションモジュール以外の他のモジュールとに切り替え可能に構成される。
【００６６】
具体的に、第１映像切替部１５０は、第１ネットワーク機器Ｘ１がＰＣの場合には、ＵＳＢ切替器、第１ネットワーク機器Ｘ１がテレビ会議専用端末のＨＤコムの場合には、ＨＤＭＩ（登録商標、以下省略）切替器が該当する。
【００６７】
なお、第１ネットワーク機器Ｘ１のコミュニケーションインタフェース（特に映像コミュニケーションインタフェース）がＵＳＢコネクタ以外の場合（例えば、ＨＤＭＩ形式の場合）に、適宜、ＵＳＢに変換した上で、第１映像切替部１５０であるＵＳＢ切替器との接続を行うようにしてもよい。
【００６８】
第１映像コミュニケーションモジュール１６０は、第１ネットワーク機器Ｘ１が本来想定するコミュニケーションモジュールであって、いわゆるＷＥＢカメラやＨＤコム専用カメラが該当する。
【００６９】
第１映像入力部１７０は、第１コミュニケーションインタフェースＸ１０の映像出力（ＨＤＭＩ形式またはＵＳＢ形式）に接続され、第１ネットワーク機器Ｘ１のモニタ画像の映像出力が入力される。
第１映像出力部１８０は、第１映像切替部１５０に接続され、第２映像入力部２７０に入力された映像を出力する。
【００７０】
同様に、第２ネットワーク機器Ｘ２は、この場合、例えば、テレビ電話であって、電話網に接続されたテレビ電話機や、インターネットに接続され（ＶＰＮ接続を含む）、各種ＷＥＢ会議やテレビ会議が実行可能なＰＣやスマートフォン、タブレット、専用端末（パナソニック株式会社製のＨＤコム）である。
【００７１】
第２映像切替部２５０は、第２ネットワーク機器Ｘ２のコミュニケーションインタフェース（映像入力）である第２コミュニケーションインタフェースＸ２０（例えばＵＳＢコネクタ）に接続され、第２映像コミュニケーションモジュール２１０と、該第２コミュニケーションモジュール以外の他のモジュールとに切り替え可能に構成される。
【００７２】
具体的に、第２映像切替部２５０は、第２ネットワーク機器Ｘ２がＰＣの場合には、ＵＳＢ切替器、第２ネットワーク機器Ｘ２がテレビ会議専用端末のＨＤコムの場合には、ＨＤＭＩ切替器が該当する。
【００７３】
なお、第２ネットワーク機器Ｘ２のコミュニケーションインタフェース（特に映像コミュニケーションインタフェース）がＵＳＢコネクタ以外の場合（例えば、ＨＤＭＩ形式の場合）に、適宜、ＵＳＢに変換した上で、第２映像切替部２５０であるＵＳＢ切替器との接続を行うようにしてもよい。
【００７４】
第２映像コミュニケーションモジュール２６０は、第２ネットワーク機器Ｘ２が本来想定するコミュニケーションモジュールであって、いわゆるＷＥＢカメラやＨＤコム専用カメラが該当する。
【００７５】
第２映像入力部２７０は、第２コミュニケーションインタフェースＸ２０の映像出力（ＨＤＭＩ形式またはＵＳＢ形式）に接続され、第２ネットワーク機器Ｘ２のモニタ画像の映像出力が入力される。
第２映像出力部２８０は、第２映像切替部２５０に接続され、第２映像入力部２７０に入力された映像を出力する。
［第３実施形態］
第３実施形態として、第１ネットワーク機器Ｘ１がＰＣであり、第２ネットワーク機器Ｘ２もＰＣである場合について説明する。
【００７６】
まず、ネットワーク統合前の通常の状態では、前記第１実施形態および第２実施形態と同様に、第１切替部１００では、第１コミュニケーションモジュール１１０が選択され、第２切替部２００では、第２コミュニケーションモジュール２１０が選択されている。
【００７７】
また、第１映像切替部１５０では、第１映像コミュニケーションモジュール１６０が選択され、第２映像切替部２５０では、第２映像コミュニケーションモジュール２６０が選択されている。
【００７８】
この状態で、第１ネットワーク機器Ｘ１に、インターネット等を介して第１のＷＥＢ会議が開始されると、ユーザは、通常のＷＥＢ会議と同様に、第１コミュニケーションモジュール１１０であるヘッドセットやスピーカフォンにより、第１のＷＥＢ会議のメンバーとの音声コミュニケーションが可能となっている。
【００７９】
また、このとき、ユーザの第１ネットワーク機器Ｘ１のモニタには第１のＷＥＢ会議の他のメンバーの画像が表示されると共に、第１映像コミュニケーションモジュール１６０であるＷＥＢカメラによるユーザの自画像が第１映像切替部１５０および第１コミュニケーションインタフェースＸ１０を介して入力される。そして、入力されたユーザの自画像は、第１のＷＥＢ会議の他のメンバーのモニタ等に表示される。これにより、ユーザと第１のＷＥＢ会議の他のメンバーとの映像コミュニケーションが可能となっている。
【００８０】
ここで、第１のＷＥＢ会議の他のメンバーが、他のＷＥＢ会議との統合を希望した場合に、ユーザは、第２ネットワーク機器Ｘ２であるＰＣを操作して、第２のＷＥＢ会議の開催または参加を行う。
【００８１】
第２のＷＥＢ会議が立ち上がると、第１のＷＥＢ会議と同様に、ユーザは、通常のＷＥＢ会議と同様に、第２コミュニケーションモジュール２１０であるヘッドセットやスピーカフォンにより、第２のＷＥＢ会議のメンバーとの音声コミュニケーションが可能となっている。
【００８２】
また、このとき、ユーザの第２ネットワーク機器Ｘ２のモニタには第２のＷＥＢ会議の他のメンバーの画像が表示されると共に、第２映像コミュニケーションモジュール２６０であるＷＥＢカメラによるユーザの自画像が第２映像切替部２５０および第２コミュニケーションインタフェースＸ２０を介して入力される。そして、入力されたユーザの自画像は、第２のＷＥＢ会議の他のメンバーのモニタ等に表示される。これにより、ユーザと第２のＷＥＢ会議の他のメンバーとの映像コミュニケーションが可能となっている。
【００８３】
そして、第２のＷＥＢ会議の他のメンバーが第１のＷＥＢ会議の他のメンバーとのＷＥＢ会議の統合を承諾した場合には、ユーザは、第１切替部１００を他のモジュールに変更すると共に、第２切替部２００を他のモジュールに変更する。さらに、ユーザは、第１映像切替部１５０を他のモジュールに変更すると共に、第２映像切替部２５０を他のモジュールに変更する。
【００８４】
これにより、第１のＷＥＢ会議の他のメンバー（相手）の音声が、第１音声入力部１３０から第２音声出力部２４０を介して、第２のＷＥＢ会議の他のメンバー（相手）のスピーカ等から出力されると共に、第２のＷＥＢ会議の他のメンバー（相手）の音声が第２音声入力部２３０から第１音声出力部１４０を介して、第１のＷＥＢ会議の他のメンバー（相手）のスピーカ等から出力されることから、第１のＷＥＢ会議で接続された相手と第２のＷＥＢ会議で接続された相手との音声コミュニケーション通信を成立させることができる。
【００８５】
また、第１のＷＥＢ会議の他のメンバー（相手）の画像（第１ネットワーク機器Ｘ１のモニタ画像）が、第１映像入力部１７０から第２映像出力部２８０を介して、第２のＷＥＢ会議の他のメンバー（相手）のモニタ等に出力されて表示されると共に、第２のＷＥＢ会議の他のメンバー（相手）の画像（第２ネットワーク機器Ｘ２のモニタ画像）が第２映像入力部２７０から第１映像出力部１８０を介して、第１のＷＥＢ会議の他のメンバー（相手）のモニタ等に出力されて表示されることから、第１のＷＥＢ会議で接続された相手と第２のＷＥＢ会議で接続された相手との映像コミュニケーション通信を成立させることができる。
【００８６】
このように、本実施形態のネットワーク統合システムによれば、新たな構内交換機の構築を不要としつつ、簡易かつ確実に、第１通信網に接続された相手と第２通信網に接続された相手との映像および音声コミュニケーション通信を成立させることができるネットワーク統合システムを提供することができる。
【００８７】
なお、上記実施形態において、ネットワーク統合を行うユーザは、統合（転送）に伴って、ネットワークから離脱する場合について説明したが、これに限定されるものではない。
【００８８】
例えば、第１音声入力部１３０と第１切替部１００との間に（または第２音声入力部２３０と第２切替部２００との間に）に音声合成が可能なミキサー等を接続して、第１コミュニケーションモジュール１１０（または第２コミュニケーションモジュール２１０）の音声を第１分岐モジュール１２０（または第２分岐モジュール２２０）の音声出力に合成させると共に、第１音声出力部１４０（または第２音声出力部２４０）の音声を分岐して第１コミュニケーションモジュール１１０（または第２コミュニケーションモジュール２１０）に出力させることにより、ユーザも統合後のネットワークに音声コミュニケーション可能に構成してもよい。
【００８９】
同様に、第１映像入力部１７０と第１コミュニケーションインタフェースＸ１０との間に（または第２映像入力部２７０と第２コミュニケーションインタフェースＸ２０との間に）に映像合成（合成分割表示）が可能な画面合成装置を接続して、第１映像コミュニケーションモジュール１６０（または第２映像コミュニケーションモジュール２６０）の画像（ユーザの自画像）を合成させることにより、ユーザも統合後のネットワークに映像コミュニケーション可能に構成してもよい。なお、補足すると、この場合、第１ネットワーク機器Ｘ１または第２ネットワーク機器Ｘ２のモニタには、統合後のＷＥＢ会議の映像が表示されているため、敢えて、第１映像出力部１８０（または第２映像出力部２８０）からの出力映像を分岐等させて表示させる必要はない。
【００９０】
また、本実施形態において、第１切替部１００および第１映像切替部１５０（第２切替部２００および第２映像切替部２５０）を別個独立に構成する場合について説明したがこれに限定されるものではなく、第１切替部１００に第１映像切替部１５０（第２切替部２００に第２映像切替部２５０）の全部または一部の機能を持たせるようにしてもよい。また、その逆で、第１映像切替部１５０に第１切替部１００（第２映像切替部２５０に第２切替部２００）の全部または一部の機能を持たせるようにしてもよい。例えば、第１コミュニケーションモジュール１６０（または第２コミュニケーションモジュール２６０）がマイク付き（場合によってはさらにスピーカ付き）ＷＥＢカメラである場合に、第１映像切替部１５０（または第２映像切替部２５０）に第１切替部１００（または第２切替部２００）の機能を統合して構成してもよい。
【符号の説明】
【００９１】
１００…第１切替部、１１０…第１コミュニケーションモジュール、１２０…第１分岐モジュール、１３０…第１音声入力部、１４０…第１音声出力部、１５０…第１映像切替部、１６０…第１映像コミュニケーションモジュール、１７０…第１映像入力部、１８０…第１映像出力部、２００…第２切替部、２１０…第２コミュニケーションモジュール、２２０…第２分岐モジュール、２３０…第２音声入力部、２４０…第２音声出力部、２５０…第２映像切替部、２６０…第２映像コミュニケーションモジュール、２７０…第２映像入力部、２８０…第２映像出力部、Ｘ１…第１ネットワーク機器、Ｘ１０…第１コミュニケーションインタフェース、Ｘ２…第２ネットワーク機器、Ｘ２０…第２コミュニケーションインタフェース。
【要約】
【課題】新たな構内交換機の構築を不要としつつ、簡易かつ確実に、第１通信網に接続された相手と第２通信網に接続された相手とのコミュニケーション通信を成立させることができるネットワーク統合システムを提供する。
【解決手段】ネットワーク統合システムは、第１通信網を介したコミュニケーション通信を行う第１ネットワーク機器Ｘ１と、第２通信網を介したコミュニケーション通信を行う第２ネットワーク機器Ｘ２とを相互に接続して、該第１通信網に接続された相手と第２通信網に接続された相手とのコミュニケーション通信を成立させるシステムであって、第１切替部１００と、第１コミュニケーションモジュール１１０と、第１分岐モジュール１２０と、第１音声入力部１３０と、第１音声出力部１４０と、第２切替部２００と、第２コミュニケーションモジュール２１０と、第２分岐モジュール２２０と、第２音声入力部２３０と、第２音声出力部２４０とを備える。
【選択図】図１【図１】
0006952962.tif 000002
【図２】
0006952962.tif 000003